(57)【要約】【課題】一対の噴出ヘッド３を上端より突設して二種類の液を噴出できる如く構成した双頭の液体噴出容器であって、他方の噴出ヘッドを一緒に押し下げてしまうという様な不都合を防止できる双頭液体噴出容器を提案する。【解決手段】上記各噴出ヘッド３の押し下げを防止状態と、押し下げ可能状態とを切り替える切替手段を設けて、噴出したい噴出ヘッドを開状態に、他方を閉状態にして液の噴出を行える如く構成した。【選択図】図１
2004123106.tif 000002
【特許請求の範囲】
【請求項１】
それぞれ噴出口２を備えた一対の噴出ヘッド３を上方付勢状態で押し下げ可能に上端に突設するとともに、各噴出ヘッドを上下動させることにより、各ヘッドの噴出口と連通する収納部の液をそれぞれ噴出口より噴出する如く構成した双頭の液体噴出容器であって、上記各噴出ヘッド３の押し下げ防止状態と、押し下げ可能状態とを切り替える切替手段を設けてなることを特徴とする双頭液体噴出容器。
【請求項２】
上端を開口した有底筒状のケース体Ａと、該ケース体Ａ内にそれぞれ嵌合させた一対の胴部７上端よりそれぞれ口頸部８を起立してなる一対の容器体Ｂと、各口頸部８に装着キャップ９を嵌合させることにより各容器体Ｂにそれぞれ装着するとともに、装着キャップ上端より上方付勢状態で押し下げ可能に突設したステム１０の上端にそれぞれ噴出ヘッド３を嵌着した一対のポンプＣと、上記ケース体Ａ上端に周壁２３下端周縁部を嵌着するとともに、周壁２３上端縁より延設した頂壁２４中央の窓孔２５より両噴出ヘッドを押し下げ可能に突出させた肩カバーＤとを備え、各噴出ヘッドを上下動させることにより、各容器体内の液をそれぞれ噴出口より噴出する如く構成した双頭液体噴出容器であって、上記各ステム１０周囲に回動可能に装着した係止筒２８上面に各噴出ヘッドの係止リブ３０下面をそれぞれ当接係止した押し下げ防止状態と、各係止筒２８上端より穿設した縦溝３１が上記係止リブ３０下方に位置する押し下げ可能状態とを、各係止筒２８より突設した摘み２９をそれぞれ肩カバーＤ外方から回動させることにより切り替える切替手段を設けてなることを特徴とする双頭液体噴出容器。
【請求項３】
上記切替手段に於ける摘み２９の回動幅を、一端が押し下げ可能状態と成る如く規制してなる請求項２記載の双頭液体噴出容器。
【発明の詳細な説明】
【０００１】
【発明の属する技術分野】
本発明は双頭液体噴出容器に関する。
【０００２】
【従来の技術】
容器体の口頸部に嵌着させた装着筒の上端より上方付勢状態で押し下げ可能に噴出ヘッドを突出するとともに、噴出ヘッドを上下動させることにより容器体内の液を噴出口より噴出させる如く構成した液体噴出容器が知られている（例えば、特許文献１参照）。
【０００３】
また、二種の液体を別々に収納し、噴出時に混合して噴出する如く構成した液体噴出容器も提案されている（例えば、特許文献２参照）。この液体噴出容器は、異種液体収納の二個の容器体を左右に配列し一体的な二連の容器体となし、各単体容器体上面から上方付勢させて起立する液体噴出用ステムに、ノズル付き押し下げヘッドの左右下面から垂下する一対の脚筒を嵌合させ、押し下げヘッドの押し下げで各単体容器体内液体がノズルから混合噴出ように設けたものである。
【０００４】
【特許文献１】
特開２００１−０４８２１６号公報（第２頁，図１）
【特許文献２】
特開２００１−３０１８４３号公報（第２−４頁，図１）
【０００５】
【発明が解決しようとする課題】
本発明は上記した形態のポンプ機構を採用した二つの液体噴出容器を合体させて一つの容器形態とし、それぞれ別々に液の噴出を行えて、しかも、噴出ヘッド相互が近接しても誤って他方の噴出ヘッドを一緒に押し下げてしまうという様な不都合を防止でき、分解して一つの液体噴出容器としても使用することができる双頭液体噴出容器を提案するものである。
【０００６】
【課題を解決するための手段】
本請求項１発明の双頭液体噴出容器は、上記課題を解決するため、それぞれ噴出口２を備えた一対の噴出ヘッド３を上方付勢状態で押し下げ可能に上端に突設するとともに、各噴出ヘッドを上下動させることにより、各ヘッドの噴出口と連通する収納部の液をそれぞれ噴出口より噴出する如く構成した双頭の液体噴出容器であって、上記各噴出ヘッド３の押し下げ防止状態と、押し下げ可能状態とを切り替える切替手段を設けてなることを特徴とする双頭液体噴出容器として構成した。
【０００７】
また、請求項２発明の双頭液体噴出容器は、上端を開口した有底筒状のケース体Ａと、該ケース体Ａ内にそれぞれ嵌合させた一対の胴部７上端よりそれぞれ口頸部８を起立してなる一対の容器体Ｂと、各口頸部８に装着キャップ９を嵌合させることにより各容器体Ｂにそれぞれ装着するとともに、装着キャップ上端より上方付勢状態で押し下げ可能に突設したステム１０の上端にそれぞれ噴出ヘッド３を嵌着した一対のポンプＣと、上記ケース体Ａ上端に周壁２３下端周縁部を嵌着するとともに、周壁２３上端縁より延設した頂壁２４中央の窓孔２５より両噴出ヘッドを押し下げ可能に突出させた肩カバーＤとを備え、各噴出ヘッドを上下動させることにより、各容器体内の液をそれぞれ噴出口より噴出する如く構成した双頭液体噴出容器であって、上記各ステム１０周囲に回動可能に装着した係止筒２８上面に各噴出ヘッドの係止リブ３０下面をそれぞれ当接係止した押し下げ防止状態と、各係止筒２８上端より穿設した縦溝３１が上記係止リブ３０下方に位置する押し下げ可能状態とを、各係止筒２８より突設した摘み２９をそれぞれ肩カバーＤ外方から回動させることにより切り替える切替手段を設けてなることを特徴とする双頭液体噴出容器として構成した。
【０００８】
また、請求項３発明の双頭液体噴出容器は、上記切替手段に於ける摘み２９の回動幅を、一端が押し下げ可能状態と成る如く規制してなる請求項２記載の双頭液体噴出容器として構成した。
【０００９】
【発明の実施の形態】
以下、本発明の実施の形態を図面を参照して説明する。
【００１０】
図１に示す如く本発明の双頭液体噴出容器１は、それぞれ噴出口２を備えた一対の噴出ヘッド３を上方付勢状態で押し下げ可能に上端に突設するとともに、各噴出ヘッドを上下動させることにより、各ヘッドの噴出口と連通する収納部の液を噴出口より噴出する如く構成したものである。この様な液の噴出を行うための噴出機構は公知形態のものが採用でき、例えば、シリンダやピストンを備えた公知のポンプ形態のもの、或いはガス圧により液を噴出させるエアゾール形態のものなどが採用できる。
【００１１】
図示例に於ける双頭液体噴出容器１は、ケース体Ａと、一対の容器体Ｂ，Ｂと、各容器体に装着した一対のポンプＣ，Ｃと、肩カバーＤとを備えている。
【００１２】
ケース体Ａは、各容器体Ｂを収納するもので、底壁４周縁部より周壁５を起立した有底筒状をなしている。また、周壁５外周上端部は肩カバー嵌合用に小外径部に形成している。
【００１３】
各容器体Ｂは、それぞれ胴部７上端より、胴部７より小径の口頸部８を起立しており、ケース体Ａ内にそれぞれ胴部７を嵌合させて装着している。各胴部はケース体Ａ内にガタツキの無いように嵌合させており、図示例では、左右中央側面をフラットにした半楕円筒状に胴部を形成し、両胴部のフラット面を当接させた状態でケース体Ａ内にピッタリ嵌合する如く構成している。尚、各容器体Ｂの形状は当然これに限られない。
【００１４】
各ポンプＣは、各口頸部８に装着キャップ９を嵌合させて各容器体Ｂにそれぞれ装着するとともに、装着キャップ上端より上方付勢状態で押し下げ可能に突設したステム１０の上端にそれぞれ上記噴出ヘッド３を嵌着している。各ポンプＣは公知の噴出機構を備えており、図示例では、装着キャップ９により上端を固定したシリンダ１１を容器体内に垂下するとともに、シリンダ１１下端には吸い上げ用のパイプ１２を嵌着して容器体Ｂ下端部に垂下している。また、シリンダ１１内に摺動可能に嵌合させたピストン（図示せず）を上記ステムの外周下部より突設し、シリンダ１１上方に押し込み可能に突設させたステムの先端に上記噴出ヘッド３を嵌着している。このピストン，ステム，噴出ヘッドとから構成される作動部材を、その下方に介在させたコイルスプリング（図示せず）により常時上方に付勢させている。更にシリンダ内下部には吸込み弁（図示せず）を、ステム内には吐出弁（図示せず）をそれぞれ設けている。
【００１５】
図示例に於ける装着キャップ９は、口頸部８外周に嵌合させた第１周壁１３上端縁より内方に延設したフランジ状の第１頂板１４を介して上方へ小径の第２周壁１５を立設しており、該第２周壁１５の上端より内方へ延設したフランジ状の第２頂板１６内周縁より下方へ係合筒１７を垂設し、この係合筒１７と第２周壁１５との間にシリンダ１１の上端を嵌着固定している。また、第２頂板１６上面より一対の棒状突起１８，１８を立設している。
【００１６】
各噴出ヘッド３は、ステム１０上端に下部を嵌合させた縦筒１９を頂壁２０裏面より垂設するとともに、頂壁２０周縁部より周壁２１を垂下させ、また、縦筒１９上部に一端を開口したノズル２２を周壁２１を貫通して延設し、その先端に噴出口２を開口している。各噴出ヘッド３の周壁２１は左右方向中心側がフラットな楕円筒状をなしており上方に若干テーパが掛かっている。
【００１７】
肩カバーＤは、上記ケース体Ａ上端に周壁２３下端部を嵌着するとともに、周壁２３上端より延設した頂壁２４中央の窓孔２５より両噴出ヘッド３を押し下げ可能に突設させている。また、周壁２３後部には後述する摘みを操作するための操作窓孔２６を穿設している。更に、ケース体の上記小外径部上端外周に嵌合させた嵌合筒部をフランジを介して周壁２３外周下部より延設し、また、頂壁２３裏面から両装着キャップ９外周に嵌合させた垂壁２７を垂設している。
【００１８】
本発明では、上記した如き双頭の液体噴出容器に於いて、各噴出ヘッド３の押し下げ防止状態と、押し下げ可能状態とを切り替える切替手段をそれぞれ設けている。この切替手段を設けることにより、噴出しない一方の噴出ヘッドを閉じておけば、噴出ヘッド相互が近接した状態であっても誤って不必要な方の液を噴出することを確実に防止できる如く構成している。
【００１９】
この切替手段を現出するために、図１の実施例では、一対の切替部材Ｅ，Ｅを設けている。各切替部材Ｅは、上記ステム１０周囲に回動可能に装着した係止筒２８と、各係止筒２８よりそれぞれ突設した摘み２９とを備えている。また、各係止筒２８は噴出ヘッド３に設けた係止リブ３０の下面に上面を当接係止させて噴出ヘッド３の押し下げを防止する如く構成している。更に、各係止筒２８には上端より縦溝３１を穿設しており、係止筒２８の所定回動位置に於いて上記係止リブ３０が縦溝３１内に侵入して噴出ヘッドの押し下げが可能となる如く構成している。尚、係止リブ３０は、上記係止筒２８上面に下面を当接係止することができるものであれば、その形態は種々採用できるが、中央部より放射状方向に設けたものが好ましく利用でき、更に具体的には噴出ヘッド３の縦筒１９外面より放射状に突設したものがより好ましい。また、縦溝３１及び係止リブ３０は単数であっても複数であっても良い。
【００２０】
従って、噴出ヘッド３の係止リブ３０と縦溝３１との位置がずれている場合には、係止筒２８上面が係止リブ３０下面に当接係止されて噴出ヘッド３の押し下げ防止する状態となり、一方、縦溝３１が係止リブ３０の下方に位置する場合には噴出ヘッド３の押し下げが可能な状態となる如く構成している。また、摘み２９は、肩カバーＤの外方から係止筒２８を回動させる如く構成したものであり、その形状は種々選択できる。
【００２１】
図１の実施例では、噴出ヘッド３の縦筒１９外面より周壁２１内面に至る係止リブ３０を周方向等間隔に三枚掛け渡している。また、各切替部材Ｅは、上記第２周壁１５外周に回動可能に嵌合させた周壁３２上端縁より第２周壁１５上面へフランジ状頂板３３を延設し、該頂板３３上面の内周縁部に係止筒２８を立設している。更に、周壁３２後部外面下端部より外方へ突設した突片３４を介して縦長板状の摘み２９を延設しており、上記操作窓孔２６より摘み２９をつまんで切替部材Ｅを回動させる如く構成している。また、係止筒２８外方のフランジ状頂板３３所定位置には上記各棒状突起１８を係止筒２８の回動を可能な状態で突出させるための円弧状の切溝３５を穿設している。
【００２２】
また、本発明では図１の実施例の如く、摘み２９の回動幅を、一端が押し下げ可能状態となる如く規制することも可能である。この様に規制することにより、手の感触で開状態或いは閉状態を簡単に認識できる。この規制は、上記一方の棒状突起１８が上記円弧状の切溝３５の一端に当接係止される状態から、他方の棒状突起１８が円弧状の切溝３５の他端に当接係止される状態までの所定回動幅を規制しており、例えば、一方の棒状突起１８が切溝３５の一端に当接係止された際に、上記係止リブ３０下方に上記縦溝３１が位置する如く各配置を設定している。
【００２３】
上記の如く構成した双頭液体噴出容器１は、例えば、図５（ａ）　に示す如く、各摘み２９が中央側に位置した状態でそれぞれ噴出ヘッド３の押し下げを防止し、図５（ｂ）　に示す如く、各摘み２９が両側に位置した状態で噴出ヘッド３の押し下げが可能な状態である。
【００２４】
従って、図５（ａ）　の状態から液を噴出する側の切替部材Ｅを、その摘み２９を掴んで図５（ｂ）　にある如き外側に回動させれば一方のみの噴出が可能となり、開状態の噴出ヘッド３を押圧すればその容器体Ｂ内の液が噴出口２より噴出する。また、他方の容器体Ｂ内の液を噴出したい場合には、一方の摘み２９を掴んで係止筒２８を閉方向へ回動させるとともに、他方を開状態とした後、他方の噴出ヘッド３を押し下げれば噴出口２より液が噴出する。
【００２５】
図６は他の実施例を示すもので、図１の実施例に於いて摘み２９先端が肩カバーＤに切溝状に穿設した操作窓孔２６より突設した状態の切替部材Ｅを設けた例を示す。この場合には、摘み２９の先端を指先で押して開閉させることができる。その他の構成は図１の実施例と実質的に同様であるため説明を省く。
【００２６】
尚、上記各部材は主として合成樹脂により形成し、必要に応じてエラストマー，金属等を併用して形成することができる。
【００２７】
【発明の効果】
以上説明した如く本発明の双頭液体噴出容器は、既述構成としたことにより、液噴出に際して誤って他方の噴出ヘッドを同時に押す等の誤りを防止でき、必要な一方の液のみを確実に噴出させることができるものである。
【００２８】
また、各ステム１０周囲に回動可能に装着した係止筒２８上面に各噴出ヘッドの係止リブ３０下面をそれぞれ当接係止した押し下げ防止状態と、各係止筒２８上端より穿設した縦溝３１が上記係止リブ３０下方に位置する押し下げ可能状態とを、各係止筒２８より突設した摘み２９をそれぞれ肩カバーＤ外方から回動させることにより切り替える切替手段を設けてなるものにあっては、切替手段が邪魔にならずにコンパクトに噴出器を形成できるとともに、容器体及びポンプとの各ペアを分解状態でそれぞれ使用するさいにもそれぞれ切替手段を独立して使用することができる便利がある。
【００２９】
また、切替手段に於ける摘み２９の回動幅を、一端が押し下げ可能状態と成る如く規制してなるものにあっては、手の感触により開閉状態を関知することができる点でより使い勝手が良くなる。
【図面の簡単な説明】
【図１】本発明の一実施例を示す斜視図である。
【図２】同実施例の一部切欠正面図である。
【図３】同実施例の一部切欠側面図である。
【図４】同実施例の要部分解斜視図である。
【図５】同実施例の作用を説明する説明図である。
【図６】本発明の他の実施例を示す要部斜視図である。
【図７】同実施例の一方のポンプ部分を示す要部斜視図である。
【符号の説明】
２…噴出口，３…噴出ヘッド，７…胴部，８…口頸部，９…装着キャップ，
１０…ステム，２３…肩カバー周壁，２４…肩カバー頂壁，２５…窓当て，
２８…係止筒，２９…摘み，３０…係止リブ，３１…縦溝，Ａ…ケース体，
Ｂ…容器体，Ｃ…ポンプ，Ｄ…肩カバー
【図１】
2004123106.tif 000003
【図２】
2004123106.tif 000004
【図３】
2004123106.tif 000005
【図４】
2004123106.tif 000006
【図５】
2004123106.tif 000007
【図６】
2004123106.tif 000008
【図７】
2004123106.tif 000009